Podtech/llm-jp-corpus-v4-ja_patent huggingface dataset:
(57)【要約】      （修正有）【課題】高所かつ、真上からステレオ写真測量し、手元でカメラの向きを変更できる高所写真撮影装置を提供する。【解決手段】ポール２に３Ｄステレオカメラ９を設置し、カメラの向きを変えられるチルト装置と、チルト装置のコントローラ３を取り付ける。【選択図】図１
0003179836.tif 000002
【実用新案登録請求の範囲】
【請求項１】
建設現場、住宅の屋根、建築物、構築物、遺跡発掘現場などの高所写真撮影に使用されるポールの上端にカメラを設置した高所写真撮影装置において、該ポールに取り付けられる映像装置が、３Ｄステレオカメラで構成される高所写真撮影装置。
【請求項２】
建設現場、住宅の屋根、建築物、構築物、遺跡発掘現場などの高所写真撮影に使用されるポールの上端にカメラを設置した高所写真撮影装置において、該カメラの向きが変えられるチルト装置と該チルト装置のコントローラが取り付けられるように構成される高所写真撮影装置。
【請求項３】
建設現場、住宅の屋根、建築物、構築物、遺跡発掘現場などの高所写真撮影に使用されるポールの上端にカメラを設置した高所写真撮影装置において、該ポールは、楕円形断面を持つパイプから構成される高所写真撮影装置。
【考案の詳細な説明】
【技術分野】
【００１】  本考案は、建設現場、住宅の屋根、建築物、構築物、遺跡発掘現場などで高所かつ、真上から写真撮影し、簡単に寸法および形状が計測出来る高所写真撮影装置に関するものである。
【背景技術】
【００２】  建設現場では、施工した基礎などの状況写真を多く撮り、図面と符合させるが、建設現場で、高所から写真を撮ることは、足場を組む費用や手間が掛かり、又、狭い現場では、安全な足場を組むことが難しい。
考古学の遺跡発掘においては、遺構や遺物出土状況を示す平面実測図を作成する。本実測図を作成する方法には、巻き尺などで形状を手実測から図化する方法や、３次元レーザー測距機により測量、図化する方法がある。
手実測は測量に多くの時間がかかり、レーザー測距機による測量は設備コストが高く、操作も難しいため、専門の知識が必要である。
そのため従来は、長いポールの先端に、２Ｄカメラを設置し、高所かつ、真上から写真撮影を実施している。
しかし、２Ｄカメラの写真では、サイズのわかった標識を写し込むことにより被写体の寸法を測量するが、カメラと被写体までの距離による遠近誤差も含まれ、精度ある測量はできない。又、高い位置に標識を設置することも、費用、安全性からの問題があり実用的ではない。
【考案の開示】
【考案が解決しようとする課題】
【００３】  高所かつ、真上から写真撮影する場合、２Ｄカメラの写真では、背景技術に記載した如く、精度ある測量はできない。又、高い位置に標識を設置することも、費用、安全性からの問題があり実用的ではない。
一方、周知の技術であるステレオ測量には、標識の設置を必要とせずに、寸法の測定機能がある。しかしながら、スレレオ測量では、距離が特定された２カ所の位置から同じ被写体を撮影する必要があり、従来技術では、距離を特定して２台のカメラを設置する方式であるため、高所でのステレオ測量は困難であった。
従って、高所で、簡便にステレオ測量ができるカメラをポール上に設置する必要がある。【００４】  カメラが高所にあるため、手元でカメラの向きを変更でき、同時に、被写体が画角に入っていることを手元で確認できること。【００５】  装置の構造部では、カメラを高い位置に取り付けるポールは、長さが５ｍ以上となる場合が多く、簡単に分解、組立できるように、複数のパイプをクランプにて結合し、一本の長尺のポールにする。ポールの結合方法には、上下のパイプに勘合部を設け、順次差し込む方式と、釣り竿のように、下側のパイプの中に、径の小さいパイプを順次収納する伸縮方式がある。ポールの上部にカメラを取り付ける方式では、ポールのしなりや風によるゆれ    などで、カメラにブレが起こり易く、安定性を確保するパイプ構造が必要である。
【課題を解決するための手段】
【００６】  該ポールに設置するカメラには、３Ｄステレオカメラを使用する。
該３Ｄステレオカメラは、１台のカメラに２つのレンズを収納する構造を持つカメラで、従来、２台のカメラを必要としたステレオ測量を１台のカメラで行うことができる。
又、サイズが小さく、軽量で、該ポールの上端に安定して設置できる。【００７】  ポールの先端にはカメラとカメラ用チルト装置を取付け、カメラを真下方向、或いは、特定な角度に自由に設定できる。【００８】  該ポールには、楕円形断面を持つパイプを使用する。該縮式楕円パイプは、円形パイプに比べ、しなりが少なく、カメラをより安定して設置できる。
【考案の効果】
【００９】  ３Ｄステレオカメラを設置した該高所写真撮影装置を使用して、高所から撮影したステレオ画像を撮影することができる。【０１０】  チルト装置を設置した該高所写真撮影装置を使用して、高所にあるカメラのビュー画像をカメラビュー画像モニターで見ながら、チルト装置でカメラの向きを変え、被写体を画角に入れることができる。【０１１】  該高所写真撮影装置は、重量も軽く、容易に持ち運びできる。
該ポールで使用した楕円形状パイプは、円形パイプよりもしなりが少なく、風のある状態においても、安定してカメラを設置できる。
【実施例】  該ポールに３Ｄステレオカメラ、チルト装置、カメラビュー画像モニター、カメラ用リモートシャッターを取り付け、建設現場に使用し、現場の基礎の形状の図面との符合が簡単にできる。又、住宅の屋根を撮影し、屋根の寸法を測量できる。考古学の発掘における遺構測量に使用し、遺構の形状及び寸法を測量できる。
【図面の簡単な説明】
【図１】  図１は、高所写真撮影装置の全体図（側面図）である。
【図２】  図２は、高所写真撮影装置の全体図（正面図）である。
【図３】  図３は、伸縮式楕円形状ポールの構造図である。
【符号の説明】  １：プレート
２：伸縮式ポール
３：チルト装置用コントローラ
４：チルト装置用ケーブル
５：カメラ用リモートシャッター
６：リモートシャッター用ケーブル
７：カメラビュー画像モニター
８：カメラビュー画像モニター用ケーブル
９：３Ｄステレオカメラ
１０：チルト装置
１１：パイプ下段
１２：パイプ中段
１３：パイプ上段
１４：クランプ
【図１】
0003179836.tif 000003
【図２】
0003179836.tif 000004
【図３】
0003179836.tif 000005
(57)【要約】      （修正有）【課題】赤ちゃんが使うおしゃぶりのストラップにおいて、洋服を選ばず、水着や裸のときでも使用できるおしゃぶりストラップを提供する。【解決手段】長さ９０ｃｍくらいのゴムひも１の両端に結合部材２を設け、ゴムひもの長さが調節できるように結合部材２の近くに１ヶ所長さ調節部材３を設け、結合部材２の近くに名札及び付随するかわいいアクセサリーを設けおしゃぶり５をゴムひも１に通し掛けることを特徴とする。【選択図】図１
0003179839.tif 000002
【実用新案登録請求の範囲】
【請求項１】
長さ９０ｃｍくらいのゴムひもの両端に結合部材を設け、ゴムひもの長さが調節できるように結合部材の近くに１ヶ所長さ調節部材を設け、結合部材の近くに名札及び付随するかわいいアクセサリーを設けることを特徴とする、おしゃぶりストラップ。
【考案の詳細な説明】
【技術分野】
【０００１】  本考案は、赤ちゃんが使うおしゃぶりを落とさないようにするためのおしゃぶりストラップである。
【背景技術】
【０００２】  従来、おしゃぶりはあかちゃんが口元で使い、口から離れる際、母親が気が付かない内に落としてしまったりなくしてしまい、よく探していた。それを防ぐために赤ちゃんの体に支障なく付けておけるように工夫した。
【考案の開示】
【考案が解決しようとする課題】
【０００３】  従来ある、おしゃぶり止めは、赤ちゃんの服にクリップのような物で止めているが、引っ張ったりすると取れてしまい、ハイハイなどした時にブラついて邪魔になる。
クリップが止められる服に限られ、洋服の取り付け場所も考えなければならない。
本考案は、以上の問題を解決するためになされたものである。
【課題を解決するための手段】
【０００４】  長さ９０ｃｍくらいのゴムひもの両端に結合部材を設ける。
ゴムひもの長さが調節できるように、結合部材の近くに１ヶ所長さ調節材を設ける。
結合部材の近くに名札及び付随するかわいいアクセサリーを設ける。
本考案は以上のような構成である。
【考案の効果】
【０００５】  本考案は、赤ちゃんがおしゃぶりを自分で口元に持っていったり、はずしたりすることができ、ハイハイした時も、おしゃぶりが床について汚れる心配もない。
また、洋服を選ばず、水着の時や裸の時でも手軽に使用できる。
【考案を実施するための最良の形態】
【０００６】  以下、本考案の実施の形態を説明する。
長さ９０ｃｍくらいのゴムひも（１）の両端に結合部材（２）を設ける。
ゴムひも（１）の長さが調節できるように結合部材（２）の近くに１ヶ所長さ調節材（３）を設ける。結合部材（２）の近くに名札及び付随するかわいいアクセサリー（４）を設ける。
本考案は以上のような構成であり、これを実際に使用する時は、おしゃぶり（５）を通し掛けたゴムひも（１）を赤ちゃんの首に掛け、片方の腕の下に通し、たすき掛けにする。赤ちゃんの体に合わせ、ゴムひも（１）の長さを長さ調節材（３）で調節する。これにより、赤ちゃんの首を絞めることを防ぎ安全に使用できる。
【図面の簡単な説明】
【０００７】
【図１】本考案の実施例を示す斜視図
【符号の説明】
【０００８】  （１）ゴムひも  （２）結合部材  （３）長さ調節材
（４）名札及び付随するかわいいアクセサリー  （５）おしゃぶり
【図１】
0003179839.tif 000003
(57)【要約】      （修正有）【課題】壁などに取り付けられたフックに、引っ掛けた状態で、簡単に抜け落ちない、ハエ叩きのカバーを提供する。【解決手段】柄４と打撃面３を備えたハエ叩きの打撃面３を覆う、袋状の形状のハエ叩きカバー１の柄４側の辺に、柄４の断面よりも大きく、打撃面３の断面よりも小さな面積の第一の開口部２ａを設け、第一に開口部２ａに対向する側の辺には、打撃面３の断面よりも大きな面積の第二の開口部２ｂが設ける。このような構成とすることで、柄４の先端をフックに引っ掛けても抜け落ちることがない。【選択図】図２
0003179837.tif 000002
【実用新案登録請求の範囲】
【請求項１】
柄と打撃面を備えたハエ叩きの前記打撃面を覆う、袋状の形状を有するハエ叩きカバーにおいて、前記ハエ叩きカバーの前記柄側の辺には、前記柄の断面よりも大きく、前記打撃面の断面よりも小さな面積の第一の開口部が設けられ、前記第一の開口部に対向する側の辺には、前記打撃面の断面よりも大きな面積の第二の開口部が設けられてなることを特徴とするハエ叩きカバー。
【考案の詳細な説明】
【技術分野】
【０００１】  本考案は、ハエ叩きの打撃面を覆い、衛生性を向上するための、袋状のカバーに関するものである。
【背景技術】
【０００２】  近年は、トイレの水洗化や生ゴミの処理システムの発達、殺虫剤の普及により、身の回りのハエの数は減少している。【０００３】  しかし、室内で殺虫剤を噴霧するのは、食事中など、場合によっては避ける必要があり、殺虫剤が生体にとって、必ずしもまったく無害ではないことを考慮すると、可能な限り使用を避けた方がよいと思われる。このために、従来のハエ叩きが重宝することがあり、雑貨店などで一定量の販売量が維持されている。【０００４】  ハエ叩きで問題になる事項の一つに、衛生性の維持向上がある。つまり、一般的なハエ叩きは、柄の先端に、可撓性を備えた枠を有する網からなる打撃面が取り付けられ、網の部分でハエなどの害虫を叩き潰すという使用方法が一般的であるが、害虫の死骸や体液が網に付着するという問題がある。【０００５】  打撃面が網となっている理由は、通常の面形状では、害虫に向けて振り下ろす際に、風圧によって害虫が吹き飛ばされ、逃げられる可能性があるためで、通常の平面と異なり、細かく潰された死骸や体液が、網の空隙に充填されて簡単に除去できず、不衛生となる。【０００６】  この対策として、使用しない状態では、打撃面にカバーをかけることが提案されている。例えば、特許文献１には、プラスチック製の袋状のカバーが開示されている。図３は特許文献１に記載されている従来のカバーの斜視図、図４は、従来のカバーをハエ叩きに取り付けた状態を示す図である。【０００７】  図３及び図４において、３は打撃面、４は柄、５は環状部、６はカバー、７は開口部である。図に示したように、このカバー６は、打撃面３の端部、つまり図における右側から挿入できるように、開口部７を設けた構造で、別途に固定手段を設け、抜けないようにする必要がある。
【先行技術文献】
【特許文献】
【０００８】
【特許文献１】  特開２００９−０５５８９１号公報
【考案の概要】
【考案が解決しようとする課題】
【０００９】  従って、本考案の課題は、壁などに取り付けられたフックに、引っ掛けた状態で、簡単に抜け落ちない、ハエ叩きのカバーを提供することにある。
【課題を解決するための手段】
【００１０】  本考案は、前記課題に鑑み、通常のハエ叩きには、図４に示したように、柄４の先端にフックに引っ掛けておくための還状部分５が設けられ、打撃面３を下方にしておくのが一般的であることに着目し、柄４の方から挿通して、打撃面３を覆う構造のカバーを検討した結果、なされたものである。【００１１】  即ち、本考案は、柄と打撃面を備えたハエ叩きの前記打撃面を覆う、袋状の形状を有するハエ叩きカバーにおいて、前記ハエ叩きカバーの前記柄側の辺には、前記柄の断面よりも大きく、前記打撃面の断面よりも小さな面積の第一の開口部が設けられ、前記第一の開口部に対向する側の辺には、前記打撃面の断面よりも大きな面積の第二の開口部が設けられてなることを特徴とするハエ叩きカバーである。
【考案の効果】
【００１２】  本考案のハエ叩きカバーは、前記のように二つの開口部が設けられ、第一の開口部が打撃面よりも面積が狭いので、打撃面を下にしても、抜け落ちることがなく、衛生的に保管可能で、使用時には、カバーを柄の方向にずらして、打撃面を露出させることができる。
【図面の簡単な説明】
【００１３】
【図１】  本考案に係るハエ叩きカバーの一例を示す斜視図。
【図２】  本考案に係るハエ叩きカバーをハエ叩きに取り付けた状態を示す図。
【図３】  従来のカバーの斜視図。
【図４】  従来のカバーをハエ叩きに取り付けた状態を示す図。
【考案を実施するための形態】
【００１４】  次に、本考案の実施の形態について具体的な図に基づいて説明する。
【００１５】  図１は、本考案に係るハエ叩きカバーの一例を示す斜視図である。このハエ叩きカバー１は、全体が野球のホームベースの形状に近く、尖った側、図における右側には、第一の開口部２ａが設けられ、対向する側には、第二の開口部が設けられている。材質としては、コストや加工性の観点、ポリエチレンやポリプロピレンの、透明なシートを用いるのが望ましい。ただし、他の材質を用いることも可能であるのは勿論である。
【００１６】  全体の形状を長方形とするのであれば、市販の袋を用い、予め設けられている開口部を第二の開口部２ｂとし、袋の閉塞された側の辺を加工して、第一の開口部とすることができる。また、市販のポリエチレン袋には、開口部にファスナーを設けることで、内容物が簡単に飛び出さないようにしたものもあるが、このような袋のファスナーと対向する側に加工を施し、第一の開口部を設けると、保管時にファスナーを閉じておくことが可能なハエ叩きカバーが得られ、より衛生性が向上する。
【００１７】  図２は、図１に示した本考案に係るハエ叩きカバーをハエ叩きに取り付けた状態を示す図である。この場合は、ハエ叩きカバー１は、柄４の側、つまり、図における左側から取り付ける。このような構成とすることで、壁などに設けたフックに、打撃面３を下にした状態で、環状部５を引っ掛けておいても、ハエ叩きカバー１が抜け落ちることはない。また、使用の際には、ハエ叩きカバー１を、一点鎖線で示した１ａの部分に移動させることで、直ちに打撃面３を露出させることができる。
【００１８】  以上に説明したように、本考案によれば、容易に抜け落ちないハエ叩きカバーを提供できる。なお、本考案は、前記実施の形態に限定されるものではなく、本考案の分野における通常の知識を有する者であれば想到し得る、各種変形、修正を含む、本発明の要旨を逸脱しない範囲の設計変更があっても、本考案に含まれることは勿論である。
【図１】
0003179837.tif 000003
【図２】
0003179837.tif 000004
【図３】
0003179837.tif 000005
【図４】
0003179837.tif 000006
(57)【要約】【課題】  充填物の漏出がなく緊密な穴埋めができ、型枠の造作が不要で、簡単に固定できる配管用穴埋め保持器を提供する。【解決手段】  筒状の本体（１）を開閉する構造として、上部に、天板（２）を設ける、本体（１）の側面に、復元力のある弾性帯（３）と止め具（４）を設ける。天板を開閉するため本体の軸に隙間を設け上下に段差を設けた穴埋め保持器を特徴とする。【選択図】図１
0003179798.tif 000002
【実用新案登録請求の範囲】
【請求項１】
筒状の本体（１）を開閉する構造として、上部に天板（２）を設け、本体（１）の側面に復元力のある弾性帯（３）と止め具（４）を設けた、配管用穴埋め保持器。
【考案の詳細な説明】
【技術分野】
【０００１】この考案は、く体に穴をあけ配管等を通した後の穴を充填するための、穴埋め保持器である。
【背景技術】
【０００２】  従来、建築物く体に配管した後の穴は、モルタル等を充填するために木材等で型枠を造作していた。
【先行技術文献】
【０００３】
【考案の概要】
【考案が解決しようとする課題】
【０００４】  これには次のような欠点があった
配管径と、く体の穴に合わせて、木材等を使い手作業で型枠を造作するため能率が悪いまた、造作技術の優劣により、充填物が漏出し穴埋めの不良があった。
本考案は、この欠点を解決するためにになされたものである。
【課題を解決するための手段】
【０００５】  筒状の本体（１）を開閉する構造として、上部に天板（２）を設け、本体（１）の側面に復元力のある弾性帯（３）と、止め具（４）を設ける。
本考案は、以上の構成よりなる配管用穴埋め保持器である。
【考案の効果】
【０００６】  配管径と、く体の穴径に合わせた構造なので充填物の漏出がなく、緊密な穴埋めができる。また、型枠の造作が不要であり、本体を配管に挾み、止め具を掛けて倒すだけで簡単に固定ができる。
【図面の簡単な説明】
【０００７】
【図１】  本考案の使用状態をあらわした斜視図である。
【図２】  本考案の使用状態をあらわした背面からの断面図である。
【図３】  本考案の底面図である。
【考案を実施するための形態】
【０００８】  以下、本考案の実施例について説明する。
筒状の本体を開閉する構造として、上部に天板を設け、本体（１）の側面に硬鋼線、またはゴム等の復元力のある弾性帯（３）と止め具を（４）を設ける。天板を開閉するために本体の開閉軸（７）は隙間を設け上下に段差をもうける。
本考案は以上のような構造で、これを使用するときは、
本体（１）を開き、配管（６）を挾み天板（２）をく体（８）に押しあて貫通穴（９）を塞ぎ、弾性帯（３）の受け部（４）に止め具（５）を掛けて倒し本体を配管に固定し、反対側の開口穴から充填する。
【符号の説明】
【０００９】  １，本体  ２，天板  ３，弾性帯  ４，受け部  ５，止め具  ６，配管，７，本体の開閉軸，８，く体，９，く体の穴
【図１】
0003179798.tif 000003
【図２】
0003179798.tif 000004
【図３】
0003179798.tif 000005
【手続補正書】
【提出日】平成24年8月31日(2012.8.31)
【手続補正１】
【補正対象書類名】実用新案登録請求の範囲
【補正対象項目名】全文
【補正方法】変更
【補正の内容】
【実用新案登録請求の範囲】
【請求項１】
筒状体の一端に外周から直角に内径のない鍔状の天板（１）を設け、垂直に２分割して一方の分割面の両片に交互に軸穴を設け硬鋼線を通して開閉軸（２）とし、反対側分割面より開閉する本体（３）の側面に開閉軸（２）の上下から延伸した硬鋼線（４）を側面に沿わせ開閉する分割面の直前、中央に突起部（５）を設け、反対側分割面の中央の側面に掛け金止め具（６）を設け硬鋼線の突起部に掛け金を掛けてひき倒し、硬鋼線の復元力により配管に固定する事を特徴とした配管用穴埋め保持器である。
【手続補正２】
【補正対象書類名】明細書
【補正対象項目名】０００５
【補正方法】変更
【補正の内容】
【０００５】    筒状体の一端に外周から直角に内径のない鍔状の天板（１）を設け、垂直に２分割して一方の分割面の両片に交互に軸穴を設け硬鋼線を通して開閉軸（２）とし、反対側分割面より開閉する本体（３）の側面に開閉軸（２）の上下から延伸した硬鋼線（４）を側面に沿わせ開閉する分割面の直前、中央に突起部（５）を設け、反対側分割面の中央の側面に掛け金止め具（６）を設け硬鋼線の突起部に掛け金を掛けてひき倒し、硬鋼線の復元力により配管に固定する穴埋め保持器である
本考案は、以上の構成よりなる穴埋め保持器である。
【手続補正３】
【補正対象書類名】明細書
【補正対象項目名】０００８
【補正方法】変更
【補正の内容】
【０００８】    以下、本考案の実施例について説明する。
筒状体の一端に外周から直角に内径のない鍔状の天板（１）を設け、垂直に２分割して一方の分割面の両片に交互に軸穴を設け硬鋼線を通して開閉軸（２）とし、反対側分割面より開閉する本体（３）の側面に開閉軸（２）の上下から延伸した硬鋼線（４）を側面に沿わせ開閉する分割面の直前、中央に突起部（５）を設け、反対側分割面の中央の側面に掛け金止め具（６）を設け硬鋼線の突起部に掛け金を掛けてひき倒し、硬鋼線の復元力により配管に固定する穴埋め保持器である。本体に設けた水平の天板を交差させて開閉するために開閉軸受け部は隙間を設け上下に段差をつける。
本考案は以上のような構造でこれを使用するときは、
本体（３）の片側を上げて開き、配管（７）を挾み天板（１）を、く体の穴（９）に密着させ硬鋼線（４）の突起部（５）に掛け金止め具（６）を掛けて固定し、く体の反対側の開口穴から充填する。
【手続補正４】
【補正対象書類名】明細書
【補正対象項目名】０００９
【補正方法】変更
【補正の内容】
【０００９】１，天板  ２，開閉軸  ３，本体，４，硬鋼線  ５，突起部  ６，掛け金止め具
７，配管  ８，く体  ９  く体の穴
【手続補正５】
【補正対象書類名】図面
【補正対象項目名】全図
【補正方法】変更
【補正の内容】
【図１】
0003179798.tif 000006
【図２】
0003179798.tif 000007
【図３】
0003179798.tif 000008
(57)【要約】      （修正有）【課題】側溝の路面露出面を小さくして通行の安全と景観の向上を図るとともに、歩車道境界ブロックの載置スペースを有し、更に、側溝幅を変えずに下ブロックの深を変化させることにより排水流量に適合できる側溝を提供する。【解決手段】側溝本体１を上ブロック１ａ、下ブロック１ｂに２分割し、これらを連結ボルト８にて結合する。上ブロック頂版面２ｂを凸形とし、雨水流入口４を複数設ける。上ブロック頂版面２ｂの片側に歩車道境界ブロック１０の載置部を有する。【選択図】図６
0003179799.tif 000002
【実用新案登録請求の範囲】
【請求項１】
側溝本体を上、下ブロックに２分割し、このブロックを連結ボルトにて結合することを特徴とする。
【請求項２】
請求項１に記載の上ブロック頂版面を凸形とすることを特徴とする。
【請求項３】
請求項２に記載の上ブロック頂版に雨水流入口を長手方向に所定ピッチで複数設けることを特徴とする。
【請求項４】
請求項２に記載の上ブロック頂版面に歩車道境界ブロックの載置部を有することを特徴とする。
【請求項５】
請求項１に記載での上ブロックを一定として、深さを変化した下ブロックと結合することができることを特徴とした側溝。
【考案の詳細な説明】
【技術分野】
【０００１】  本考案は、雨水などによる表面水を排水するプレキャストコンクリート製の側溝に関し、側溝幅を一定として排水流量の変化に適合することを特徴とした側溝に関するものである。
【背景技術】
【０００２】  従来、図７に示すように道路排水側溝は、内幅、深さを一定に製作したプレキャストコンクリート円形側溝によって形成し、その外形状は箱型からなり、側溝頂版部の上面の路面露出面積が大きくなり、車両や歩行者の上面通行で、滑りの問題や景観の低下といった欠点があり、さらに閉塞された一体構造であるため製作手間が掛る問題がある。
【考案の開示】
【考案が解決しようとする課題】
【０００３】  本考案は、前記課題を解決するものであり、その目的とするところは、側溝上面の路面露出面積を小さくして、通行の安全性、景観の向上を図ることができ、更に歩車道境界ブロックを取り付けることができるスペースをする。【０００４】  また、側溝本体を上、下ブロックに分割することにより型枠の簡略化、製作の効率化により容易、安価に製作できる。【０００５】  また、排水流量の増減にも上ブロックを共通として下ブロックを排水流量に適合する深さを選定することにより一定の側溝幅で対応できる優れた側溝を提供せんとするものである。
【課題を解決するための手段】
【０００６】  前記目的を達成するための本考案に係る側溝の構成は、頂版面を凸形とし、路面に露出するこの突出部の頂版突出面の幅を縮小し、頂版面に歩車道境界ブロックを載置する構成する。【０００７】  頂版に設けられた雨水流入口は、側溝本体の長手方向に所定ピッチで複数設けた構成とする。【０００８】  側溝本体を上、下ブロックに２分割し連結ボルトにて固定する構成とする。
【考案の効果】
【０００９】  本考案の側溝は、頂版の面を凸形とし、突出部のみを路面に露出させて、路面露出面積を小さくし、車両や歩行者の上面通行での滑り防止、景観の向上を図ることが出来る。【００１０】  また、頂版面に歩車道境界ブロックの載置が可能であるので、従って別途に歩車道境界ブロック設置用の基礎を設ける必要としない。【００１１】  側溝本体を上、下ブロックに２分割することにより、型枠が簡略化し側溝本体の製作が効率化し安価に製作できる。【００１２】  排水流量の変化にも、上ブロックを一定として、排水流量に適合した深さの下ブロックを適用することにより側溝幅が統一できる。
【考案を実施するための最良の形態】
【００１３】  図１に示すように、上ブロック１ａの頂版２の中央部に頂版突出面２ａを形成し、雨水流入口４を図３に示すように側溝本体１の長手方向に所定ピッチで設けて、雨水を路面１１より直接に雨水流入口４に取り入れる。【００１４】  上、下ブロックの連結は、継手部の形状を所定の角度で折曲させて段差を設けて水平方向のずれを防止し、下ブロック１ｂの接続面に凹部を設けて漏水止め目的のゴム板９をはめ込む。【００１５】  そして、下側壁３ｂにインサートナット６を長手方向に所定ピッチで埋設し、上側壁３ａに設けられたボルト孔７に連結ボルト８を挿通して下側壁３ｂに埋設されたインサートナット６に螺合締結して、下ブロック１ｂと上ブロック１ａが固定され、側溝本体１が形成される。【００１６】  また、図６に示すように、車道と歩道の境界に歩車道境界ブロック１０を頂版面２ｂに載置し、歩行者の安全を守る構造となっている。【００１７】  また、他の施工例として、下ブロック１ｂを図６に示すように幅を一定として深さ方向に変化させることにより排水流量に適合した側溝が形成される。
【図面の簡単な説明】
【００１８】
【図１】本考案に係る構成を示す断面図である。
【図２】図１の側面図である。
【図３】図１の平面図である。
【図４】本考案に係る側溝の実施例を示す斜視図である。
【図５】図１の上、下ブロック取り付け状況拡大断面図である。
【図６】本考案の側溝で他の実施例を示す断面図である。
【図７】従来の円型側溝を示す断面図である。
【符号の説明】
【００１９】１    側壁本体
１ａ  上ブロック
１ｂ  下ブロック
２    頂版
２ａ  頂版突出面
２ｂ  頂版面
３ａ  上側壁
３ｂ  下側壁
４    雨水流入口
５    継手部
６    インサートナット
７    ボルト孔
８    連結ボルト
９    ゴム板
１０  歩車道境界ブロック
１１  路面
【図１】
0003179799.tif 000003
【図２】
0003179799.tif 000004
【図３】
0003179799.tif 000005
【図４】
0003179799.tif 000006
【図５】
0003179799.tif 000007
【図６】
0003179799.tif 000008
【図７】
0003179799.tif 000009
【手続補正書】
【提出日】平成24年8月27日(2012.8.27)
【手続補正１】
【補正対象書類名】実用新案登録請求の範囲
【補正対象項目名】全文
【補正方法】変更
【補正の内容】
【実用新案登録請求の範囲】
【請求項１】
側溝本体を上、下ブロックに２分割し、このブロックを連結ボルトにて結合することを特徴とする上下分割側溝。
【請求項２】
前記上ブロック頂版面を凸形とすることを特徴とする請求項１に記載された上下分割側溝。
【請求項３】
前記上ブロック頂版面に雨水流入口を所定ピッチで複数設けることを特徴とする請求項２に記載された上下分割側溝。
【請求項４】
前記上ブロック頂版面の片側に歩車道境界ブロックの載置部を有することを特徴とする請求項２又は請求項目３に記載された上下分割側溝。
【請求項５】
請求項１に記載された１つの上ブロックと、前記上ブロックと連結ボルトにて結合される下ブロックであって深さが異なる複数の下ブロックとを組み合わせた上下分割側溝セット。
(57)【要約】      （修正有）【課題】杖等に取り付けやすく、邪魔にならない係止具を提供する。【解決手段】開閉できるつまみを有するホルダーと、マグネットを設けた略Ｕ字状のクリップとを紐状部材で繋ぐ。【選択図】図１
0003179800.tif 000002
【実用新案登録請求の範囲】
【請求項１】
杖などにつけておけるホルダーと、そのものを繋ぐ（ストラップ等）ひも状のものがあって、そのストラップ状の物にクリップが付いて、マグネットが付いている物や付いていない物、蛍光なもの、反射テープなどのものがあり、使用しない時は杖にクリップをとりつけてしまうことが出来る事を特徴とする杖等の止めものである。
【請求項２】
杖などにつけておけるホルダーと杖とうにとりつけるクリップとがあり、それを繋ぐストラップ等（ひも状）のようなものが付いている、そのクリップを開閉することが出来たり、取り外しが出来たり、引っ掛けたり突起物等の様なものがあれば、そのクリップを手軽にその物に取り付けられ、取り外しが出来る事を特徴とする杖等の止めものである。
【考案の詳細な説明】
【技術分野】
【０００１】本考案は、杖を使用する時に杖に取り付りつけて、杖で持ち歩いて休もうとするとき等に杖留めを取り付けることができる杖の止めもの。（傘などの棒状のものや、シルバーカーや歩行器のようなものでも取り付け可能なものもある。）
【背景技術】
【０００２】従来は、杖の置く場所がある所と、置けない所とがあった。
【考案の開示】
【０００３】どこにでも杖を置いておくことが出来ずに、置く場所に困っていた。
【課題を解決するための課題】
杖を持ち歩いたりしているときに、ちょっと置いておける所はないかな〜と思っても、かけられるところが無く、杖を置いておいて倒れたり足など引っかけたりする事で杖が邪魔になったりして、置く場所に困ってしまうことが多く見受けられた。
本考案は、以上の問題点を解決するためになされたものである。
【課題を解決するための手段】
杖等に取り付けることで手軽に持ち運べ、どこかに置きたいと思ったとき時にちょっとした場所に取り付けることが出来る、本人の気持ちも落ち着くことが出来、忘れることもなく、安全に取り外しが出来る杖等の止め物である。
【考案の効果】
杖等に取り付けやすく邪魔にならず、どこにでも簡単に付け外しが出来る杖などの止めるものである。
【実地例】
１例、杖の置き場所が困っていた方に使用していただいたところ、その場所でつけられたことで安心して用事を済ませることが出来たと報告を受ける。
２例、トイレなど杖を置く場所が無い所でも取っ手にかけてもらうことで杖を忘れず、安心して用を済ませることが出来たとの言葉をお聞きした。
【図面の簡単な説明】
【図１】本考案の平面図から見た図面である。
【図２】図１を正面から見た図面である。
【符号の説明】１、杖等を止めるホルダー
２、ホルダーを閉じたり開いたりするもの
３、（ホルダー）杖等と４のクリップを繋ぐもの
４、色んな場所に取り付けるクリップ
５、マグネット
【図１】
0003179800.tif 000003
【図２】
0003179800.tif 000004
【手続補正書】
【提出日】平成24年8月27日(2012.8.27)
【手続補正１】
【補正対象書類名】実用新案登録請求の範囲
【補正対象項目名】全文
【補正方法】変更
【補正の内容】
【実用新案登録請求の範囲】
【請求項１】
杖やかさ等の棒状のものの係止具であって、開閉出来るつまみを有するホルダーと、マグネットを設けた略Ｕ字状のクリップとが、紐状部材で繋がっていることを特徴とする係止具。
(57)【要約】      （修正有）【課題】かさばらずに携行しやすい弱音器を提供する。【解決手段】柔軟性のあるシート状の素材を使い、円形に切り抜いた前記シート状素材の中心から外に向けて一カ所に切り目２を入れその切り目２の端を重ね合わせることによって円錐状の立体を構成し、携行を容易にした弱音器１。【選択図】図１
0003179796.tif 000002
【実用新案登録請求の範囲】
【請求項１】
シート状の素材をドーナツ状に切り抜き、中心から外に向けて一カ所に切り目１を入れ、切れ目の端を重ね合わせて円錐状にして使用する弱音器である。重ね合わせる位置を変えることで複数の弱音効果が可能になる。
【考案の詳細な説明】
【考案の概要】
シート状の素材をドーナツ状に切り抜き、中心から外に向けて一カ所に切り目１を入れ、切れ目の端を重ね合わせて円錐状にして使用する弱音器である。重ね合わせる位置を変えることで複数の弱音効果が可能になる。
【考案の詳細な説明】
【考案が解決しようとする課題】
【０００１】  従来、管楽器の弱音器は金属やコーン紙などの固い素材で制作された固定形状のものが多く、かさばるため携行に不便があった。
【課題を解決するための手段】
【０００２】  上記課題を解決するために、柔軟性のあるシート状の素材を使用し、平面から立体にする工夫で携行が容易な弱音器を考案した。
【考案の効果】
【０００３】  柔軟性のある１枚のシート状であるため、携行時には楽器ケースにも容易に収納できる。また使用時には複数の弱音効果が可能となる。
【図面の簡単な説明】
【０００４】
【図１】弱音器の斜視図である。
【図２】弱音器を管楽器に装着して使用する使用時１の斜視図である。
【図３】弱音器を手で操作する使用時２の斜視図である。
【符号の説明】
【０００５】  １  弱音器  ２  切り目  ３  マジックテープ  ４  ハトメ  ５  管楽器のベル部分
【図１】
0003179796.tif 000003
【図２】
0003179796.tif 000004
【図３】
0003179796.tif 000005
【手続補正書】
【提出日】平成24年5月23日(2012.5.23)
【手続補正１】
【補正対象書類名】実用新案登録請求の範囲
【補正対象項目名】全文
【補正方法】変更
【補正の内容】
【実用新案登録請求の範囲】
【請求項１】
図１の形状に切り抜いたシート状の素材の切り目２を重ねて図２および図３のような円錐状の立体にして使用する弱音器。
【手続補正２】
【補正対象書類名】明細書
【補正対象項目名】０００５
【補正方法】変更
【補正の内容】
【０００５】１  弱音器
２  切り目
３  マジックテープ（登録商標）
４  ハトメ
５  管楽器のベル部分
【手続補正書】
【提出日】平成24年9月1日(2012.9.1)
【手続補正１】
【補正対象書類名】実用新案登録請求の範囲
【補正対象項目名】全文
【補正方法】変更
【補正の内容】
【実用新案登録請求の範囲】
【請求項１】
円形に切り抜いたシート状素材の中心から外に向けて一カ所に切り目を入れその切り目の端を重ね合わせることによって円錐状の立体を構成して使用する弱音器である。
(57)【要約】【課題】生産効率が良く、しかも、床がブカブカしにくい感触の良いフローリングのための緩衝装置を提供することである。【解決手段】コンクリートスラブとフローリング材との間に配置される一様の横断面形状を有するゴム製の緩衝装置１であって、水平面に沿って延びる基板部１０と、第１方向Ｄ１に延びる複数の支持部１１とを備え、支持部１１は、基板部１０から上下方向又は斜め上下方向に突出し第１方向Ｄ１に延びる一対の側壁部１２と、一対の側壁部１２の間を連ね、基板部１０と平行に配置され第１方向Ｄ１に延びる平行部１３とを備える。【選択図】図１
0003179772.tif 000002
【実用新案登録請求の範囲】
【請求項１】
コンクリートスラブとフローリング材との間に配置される一様の横断面形状を有するゴム製の緩衝装置であって、
水平面に沿って延びる基板部と、第１方向に延びる複数の支持部とを備え、前記支持部は、
前記基板部から上下方向又は斜め上下方向に突出し前記第１方向に延びる一対の側壁部と、
前記一対の側壁部の間を連ね、前記基板部と平行に配置され前記第１方向に延びる平行部とを備える緩衝装置。
【請求項２】
前記複数の支持部における前記平行部同士が、前記第１方向に直交する第２方向に互いに離間して配置されている、請求項１に記載の緩衝装置。
【請求項３】
前記基板部と前記支持部に囲まれた矩形状の領域には、前記基板部又は平行部から前記矩形状の領域内に向って突出し前記第１方向に延びる突条が設けられている、請求項２に記載の緩衝装置。
【請求項４】
前記基板部および前記平行部の外表面には、前記第１方向に沿って延び、かつ、前記第２方向に互いに離間した複数の溝が設けられている、請求項３に記載の緩衝装置。
【考案の詳細な説明】
【技術分野】
【０００１】
本考案はコンクリートスラブとフローリング材との間に配置される緩衝装置に関する。
【背景技術】
【０００２】
近年、スラブ上に配管等の障害物がない場合、クッションとなるゴム板を配置した上にフローリング材を貼り合わせる工法が提案されている。この工法は、支持脚を用いた工法（特許文献１）に比べ天井高を確保し易いというメリットがある。
【先行技術文献】
【特許文献】
【０００３】
【特許文献１】ＪＰ１０−２５９６５８Ａ（要約書）
【考案の概要】
【考案が解決しようとする課題】
【０００４】
しかし、従来の前記ゴム板はプレス成形されていたため生産効率が低い。また、ゴム板が単なる波形であるため、大きな荷重がフローリング上に載った際に床面の沈みが大きすぎ床がブカブカするなどの問題があった。
【０００５】
したがって、本発明の目的は生産効率が良く、しかも、床がブカブカしにくい感触の良いフローリングのための緩衝装置を提供することである。
【課題を解決するための手段】
【０００６】
本考案は、コンクリートスラブとフローリング材との間に配置される一様の横断面形状を有するゴム製の緩衝装置であって、
水平面に沿って延びる基板部と、第１方向に延びる複数の支持部とを備え、前記支持部は、
前記基板部から上下方向又は斜め上下方向に突出し前記第１方向に延びる一対の側壁部と、
前記一対の側壁部の間を連ね、前記基板部と平行に配置され前記第１方向に延びる平行部とを備える。
【考案の効果】
【０００７】
本考案によれば、緩衝装置は一様の横断面を有するので、圧縮成形ではなく、押出成形により製造し得る。したがって、生産効率が向上する。
【０００８】
また、第１の方向に延びる平行部、一対の側壁部および基板部の一部で、横断面において、ループ状に閉じた矩形の筒部を形成している。そのため、押出成形により緩衝装置に“反り”や“変形”が生じにくい。
【０００９】
更に、前記閉じたループ状の矩形の筒部は上方からの荷重に対しゴムの持つ弾性で衝撃を緩衝するだけでなく、エアが第１方向にのみ逃げるので、空気層による緩衝効果も期待できる。
【図面の簡単な説明】
【００１０】
【図１】本考案の一実施例にかかる緩衝装置を使用したフローリングシステムの拡大横断面図である。
【図２】緩衝装置の拡大横断面図である。
【考案を実施するための形態】
【００１１】
好ましくは前記複数の支持部における前記平行部同士が、前記第１方向に直交する第２方向に互いに離間して配置されている。
この場合、平行部が基板部と同様に第２方向にも連なっていると、ゴム板のボリュームが大きくなり、コストアップの要因となるのに対し、平行部同士が互いに第２方向に離間していることで、コストダウンを図り得る。
【００１２】
更に、好ましくは前記基板部と前記支持部に囲まれた矩形状の領域には、前記基板部又は平行部から前記矩形状の領域内に向って上下方向に突出し前記第１方向に延びる突条が設けられている。
【００１３】
フローリング材にピアノなどの大きな荷重が加わった場合、矩形の筒部は潰れるが、突条がストッパーとしての役割を果たすことで、床面の沈下量を小さくすることができる。
【００１４】
更に好ましくは、前記基板部および前記平行部の外表面には、前記第１方向に沿って延び、かつ、前記第２方向に互いに離間した複数の溝が設けられている。
【００１５】
この場合、複数の溝に接着材が入り込むことでコンクリートや木材に対する接着力が向上する。
【実施例】
【００１６】
以下、本考案の一実施例を図面にしたがって説明する。
図１に示すように、本緩衝装置１はスラブ２とフローリング材３との間に配置される。
【００１７】
図１において、緩衝装置１は押出成形品である、第１方向Ｄ１に直交する第２方向Ｄ２に沿って切断した横断面の形状が一様（均一）なゴム製品である。前記緩衝装置１は水平面に沿って延びる基板部１０と、第１方向Ｄ１に延びる複数の支持部１１とを備える。
【００１８】
前記側壁部１２は前記基板部１０から斜め方向に突出し前記第１方向Ｄ１に延びる。前記平行部１３は前記一対の側壁部１２の間を連ね、前記基板部１０と平行に配置され前記第１方向Ｄ１に延びる。本実施例の場合、互いに隣り合う平行部１３,１３同士は、互いに離間しており、基板部１０、側壁部１２および平行部１３は台形状（矩形状の一例）の領域Ｓを形成する。
なお、前記側壁部１２は鉛直方向に突出していてもよく、あるいは円弧状に突出形成されていてもよい。
【００１９】
図２に示すように、前記基板部１０と前記支持部１１に囲まれた台形状の領域Ｓには、たとえば前記基板部１０から前記台形状の領域Ｓ内に向って突出し前記第１方向Ｄ１に延びる突条１４が設けられている。
この突条１４は平行部１３に設けられてもよい。
【００２０】
前記基板部１０および前記平行部１３の外表面には、前記第１方向Ｄ１に沿って延び、かつ、前記第２方向Ｄ２に互いに離間した複数の溝１６が設けられている。
【００２１】
前記各平行部１３はスラブ２に接着剤で接着され、一方前記基板部１０はフローリング材３に接着材で接着されている。なお、緩衝装置１は上下を逆にして用いてもよい。
【産業上の利用可能性】
【００２２】
本考案はスラブ上にゴム材を介してフローリング材を貼る直貼工法に採用することができる。
【符号の説明】
【００２３】
１：緩衝装置
１０：基板部
１１：支持部
１２：側壁部
１３：平行部
１４：突条
１５：外表面
１６：溝
２：スラブ
３：フローリング材
Ｄ１：第１方向
Ｄ２：第２方向
Ｓ：台形状の領域
【図１】
0003179772.tif 000003
【図２】
0003179772.tif 000004
(57)【要約】      （修正有）【課題】鏡板をフレームに長期にわたって安定に固定できるようにした卓上鏡を提供する。【解決手段】鏡本体を第１フレーム２０、第２フレーム３０及び鏡板から構成し、第１フレームは断面略Ｌ字状をフレーム状に連続させた形状となし、縦壁面２０Ｂには係止長溝２０Ａを形成し、第２フレームは底板周縁に縦壁とフランジ３０Ｂを形成した形状とする。さらに、フランジ周縁には係止突条３０Ａを形成し、第２フレームの底板には鏡板を嵌め込んで接着又は粘着し、第２フレームを第１フレームの背後から嵌め込み、係止突条を係止長溝に嵌め込ませることによって、第２フレームを第１フレームに固定され、鏡板は第１フレームの横壁面２０Ｃに当接させて前方への抜け止めをする。【選択図】図２
0003179709.tif 000002
【実用新案登録請求の範囲】
【請求項１】
鏡本体を脚によって所定の角度に起立させた姿勢に保持するようにした卓上鏡において、
上記鏡本体（１０）は第１フレーム（２０）、第２フレーム（３０）及び鏡板（４０）から構成され、
上記第１フレーム（２０）は縦辺と横辺とからなる断面略Ｌ字状をフレーム状に連続させた形状をなし、縦壁面（２０Ｂ）には係止長溝（２０Ａ）が形成され、
上記第２フレーム（３０）は底板周縁に縦壁（３０Ｃ）とフランジ（３０Ｂ）を形成した形状をなし、上記フランジ（３０Ｂ）周縁には係止突条（３０Ａ）が形成され、該第２フレーム（３０）の底板には鏡板（４０）が嵌め込まれて接着又は粘着されており、
上記鏡板（４０）を接着又は粘着した第２フレーム（３０）が上記第１フレーム（２０）の背後から嵌め込まれ、上記係止突条（３０Ａ）が上記係止長溝（２０Ａ）に嵌め込まれることによって、上記第２フレーム（３０）が第１フレーム（２０）に固定され、上記鏡板（４０）は第１フレーム（２０）の横壁面（２０Ｃ）に当接されて前方への抜け止めがなされていることを特徴とする卓上鏡。
【考案の詳細な説明】
【技術分野】
【０００１】
この考案は卓上鏡に関し、特に長い期間が経過しても鏡板がフレームから簡単に外れることのないようにした鏡に関する。
【背景技術】
【０００２】
卓上鏡は鏡本体と脚とから構成され、卓上において脚によって鏡本体を所望の角度に起立させた姿勢に保持するようになっている。この卓上鏡では鏡板の周縁をそのまま露出させると、ユーザが鏡板の周縁によって手指を傷つけるおそれがあることから、フレームで覆って鏡板の周縁によってユーザの手指が傷つくのを防止するようにしている。
【０００３】
従来の卓上鏡では断面Ｌ字状の環状フレームに鏡板を前面から嵌め込み、その上から環状ストッパーを嵌め込んで接着し、鏡板をフレームから抜け止めするようにした構造が採用されていた（特許文献１）。
【先行技術文献】
【特許文献】
【０００４】
【特許文献１】実開平０４−９１７２号公報
【考案の開示】
【考案が解決しようとする課題】
【０００５】
しかし、特許文献１記載の卓上鏡では接着剤が経時劣化すると、少しの衝撃で鏡板がフレームから外れることがあり、商品の信頼性の点で好ましいものではなかった。
【０００６】
本考案はかかる問題点に鑑み、長い期間が経過しても鏡板がフレームから簡単に外れることのないようにした卓上鏡を提供することを課題とする。
【課題を解決するための手段】
【０００７】
そこで、本考案に係る卓上鏡は、鏡本体を脚によって所定の角度に起立させた姿勢に保持するようにした卓上鏡において、上記鏡本体は第１フレーム、第２フレーム及び鏡板から構成され、上記第１フレームは縦辺と横辺とからなる断面略Ｌ字状をフレーム状に連続させた形状をなし、縦壁面には係止長溝が形成され、上記第２フレームは底板周縁に縦壁とフランジを形成した形状をなし、上記フランジ周縁には係止突条が形成され、該第１フレームの底板には鏡板が嵌め込まれて接着又は粘着されており、上記鏡板を接着又は粘着した第２フレームが上記第１フレームの背後から嵌め込まれ、上記係止突条が上記係止長溝に嵌め込まれることによって、上記第２フレームが第１フレームに固定され、上記鏡板は第１フレームの横壁面に当接されて前方への抜け止めがなされていることを特徴とする。
【０００８】
本考案の特徴の１つは、フレームを第１、第２のフレームから構成し、第１、第２のフレームを相互に嵌め合わせ、両者の間に鏡板を挟持するようにした点にある。
【０００９】
これにより、長期にわたって使用しても第１、第２のフレームの嵌合が外れないかぎり、鏡板が外れることはなく、商品の信頼性が高い。
【図面の簡単な説明】
【００１０】
【図１】本考案に係る卓上鏡の好ましい実施形態を前方から見た状態を示す斜視図である。
【図２】上記実施形態を背面から状態を示す分解斜視図である。
【図３】上記実施形態における第２フレームの要部を示す斜視図である。
【図４】上記実施形態における第１フレームの要部を示す斜視図である。
【考案を実施するための形態】
【００１１】
以下、本考案を図面に示す具体例に基づいて詳細に説明する。図１ないし図４は本考案に係る卓上鏡の好ましい実施形態を示す。図において、卓上鏡は鏡本体１０と脚５０とから構成され、鏡本体１０は第１のフレーム２０、第２のフレーム３０及び鏡板４０から構成されている。
【００１２】
第１フレーム２０は縦辺部及び横辺部からなる断面略Ｌ字形状を四角形フレーム状に連続させて構成され、第１フレーム２０の四辺の縦壁面２０Ｂの各々には２つの係止長溝２０Ａが間隔をあけて形成され、又第１フレーム２０の左右両側の縦壁面２０Ｂの中央には脚５０の支柱５０Ａ上端部を挿通した取付けピン５０Ｂが差し込まれて抜止めリング５０Ｃによって抜け止めされ、鏡本体１０が脚５０に傾動可能に支持されている。
【００１３】
第２フレーム３０は四角形状の底板の周縁に縦壁３０Ｃとフランジ３０Ｂとを一体に形成して構成され、第２フレーム３０の底板には四角形状の鏡板４０が嵌め込まれ接着剤や両面粘着テープによって接着又は粘着され、又四辺のフランジ３０Ｂの各々には２つ係止突条３０Ａが間隔をあけて形成されている。
【００１４】
この鏡板４０が接着又は粘着された第２フレーム３０は第１フレーム２０の背後から嵌め込まれ、係止突条３０Ａを係止長溝２０Ａに嵌め込ませることによって後方への抜け止めがなされ、又鏡板４０は第１フレーム２０の横壁面２０Ｃに当接されることによって前方への抜け止めがなされている。
【００１５】
以上のように、フレームを第１、第２のフレーム２０、３０から構成し、第１、第２のフレーム２０、３０を相互に嵌め合わせ、両者の間に鏡板４０を挟持するようにしたので、長期にわたって使用しても、第１、第２のフレーム２０、３０の嵌合が外れないかぎり、鏡板４０が外れることはなく、商品の信頼性が高い。
【符号の説明】
【００１６】
１０      鏡本体
２０      第１フレーム
２０Ａ    係止長溝
３０      第２フレーム
３０Ａ    係止突条
４０      鏡板
５０      脚
【図１】
0003179709.tif 000003
【図２】
0003179709.tif 000004
【図３】
0003179709.tif 000005
【図４】
0003179709.tif 000006